(57)【特許請求の範囲】
【請求項１】
ネットワークを介してストリーミングコンテンツを受信する受信機であって、
ネットワークを介してデータを送受信する通信部と、
前記通信部によって、チャンネルに対応した当該ストリーミングコンテンツのメタ情報を受信するメタ情報受信部と、
前記チャンネルごとに当該ストリーミングコンテンツのインデックスを縦横方向に配列させたチャンネルリストを表示し、当該インデックス上にそれぞれ前記メタ情報を表示するチャンネルリスト表示部と、
操作部の上下左右の方向操作子により、上下左右いずれかの方向に移動する操作要素で当該インデックスを指し示し、指し示した当該インデックスを、前記操作部の決定操作子によって決定するコンテンツ決定部と、
前記コンテンツ決定部によって決定された当該インデックスに係る当該ストリーミングコンテンツを、前記通信部によって受信するコンテンツ受信部と、
当該ストリーミングコンテンツを動画として再生するコンテンツ再生部と、
を備えており、
前記チャンネルリスト表示部は、前記コンテンツ再生部による動画再生中において前記方向操作子が押されたならば、押された当該方向操作子の位置に対応する表示位置に一行または一列のインデックスを表示したのち、全ての当該インデックスのうち１つを前記操作要素によって指し示し、前記方向操作子が当該インデックスの配列方向とは垂直の方向に操作された場合、前記操作要素が指し示す当該インデックスが含まれている当該チャンネルリストの表示を前記方向操作子の操作方向に伸ばして一列または一行だけスクロールし、かつ他のチャンネルリストの表示をスクロールせず、
前記コンテンツ再生部は、前記インデックスの下層に再生中の動画を表示する、
ことを特徴とするストリーミングコンテンツの受信機。
【請求項２】
前記チャンネルリスト表示部は、前記操作要素が指し示す当該インデックスが含まれている当該チャンネルリストの表示を前記方向操作子の操作方向に伸ばして一列または一行だけスクロールしているときに前記方向操作子が当該インデックスの配列方向と平行な方向に操作されたならば、前記操作要素の操作方向に伸ばしてスクロールした当該チャンネルリストを縮めて一行または一列の前記インデックスを再び表示する、
ことを特徴とする請求項１に記載のストリーミングコンテンツの受信機。
【請求項３】
前記チャンネルリスト表示部は更に、全ての当該インデックスのうち１つを前記操作要素によって指し示し、前記操作要素が指し示す当該インデックス上に、所定種類のメタ情報を表示すると共に、前記操作要素が指し示す以外の他のインデックス上には前記所定種類のメタ情報を表示せず、
前記コンテンツ再生部は、前記インデックスの下層に再生中の動画を表示する、
ことを特徴とする請求項１または請求項２に記載のストリーミングコンテンツの受信機。
【請求項４】
前記チャンネルリスト表示部は更に、全ての当該インデックスのうち１つを前記操作要素によって指し示し、前記操作要素が指し示す当該インデックス上に表示されている当該メタ情報のいずれかをスクロール表示すると共に、前記操作要素が指し示す以外の他のインデックス上のいずれの当該メタ情報もスクロール表示せず、
前記コンテンツ再生部は、前記インデックスの下層に再生中の動画を表示する、
ことを特徴とする請求項１または請求項２に記載のストリーミングコンテンツの受信機。
【請求項５】
前記チャンネルリスト表示部は、
当該ストリーミングコンテンツの前記チャンネルリストの末尾に読込指示インデックスを表示し、
前記コンテンツ決定部によって当該読込指示インデックスが決定されたとき、前記メタ情報受信部は、当該読込指示インデックスに係る当該チャンネルに対応した当該ストリーミングコンテンツの当該メタ情報を受信する、
ことを特徴とする請求項１または請求項２に記載のストリーミングコンテンツの受信機。
【請求項６】
ネットワークを介してデータを送受信する通信部と、
前記通信部によって、チャンネルに対応したストリーミングコンテンツのメタ情報を受信するメタ情報受信部と、
前記チャンネルごとに当該ストリーミングコンテンツのインデックスを縦横方向に配列させたチャンネルリストを表示し、当該インデックス上にそれぞれ前記メタ情報を表示するチャンネルリスト表示部と、
操作部の上下左右の方向操作子により、上下左右いずれかの方向に移動する操作要素で当該インデックスを指し示し、指し示した当該インデックスを、前記操作部の決定操作子によって決定するコンテンツ決定部と、
前記コンテンツ決定部によって決定された当該インデックスに係る当該ストリーミングコンテンツを、前記通信部によって受信するコンテンツ受信部と、
当該ストリーミングコンテンツを動画として再生するコンテンツ再生部と、
を備えたストリーミングコンテンツの受信機のメニュー表示方法であって、
前記コンテンツ再生部は、ストリーミングコンテンツを動画再生し、
前記チャンネルリスト表示部は、動画再生中において前記方向操作子が押されたならば、押された当該方向操作子の位置に対応する表示位置に一行または一列のインデックスを表示したのち、全ての当該インデックスのうち１つを前記操作要素によって指し示し、前記方向操作子が当該インデックスの配列方向とは垂直の方向に操作された場合、前記操作要素が指し示す当該インデックスが含まれている当該チャンネルリストの表示を前記方向操作子の操作方向に伸ばして一列または一行だけスクロールし、かつ他のチャンネルリストの表示をスクロールせず、
前記コンテンツ再生部は、前記インデックスの下層に再生中の動画を表示する、
ことを特徴とするストリーミングコンテンツの受信機のメニュー表示方法。
【発明の詳細な説明】
【技術分野】
【０００１】
本発明は、ネットワークを介してストリーミングコンテンツを受信する受信機に関する。
【背景技術】
【０００２】
従来、地上デジタル放送などの番組情報は、チャンネルと時間との表として画面に表示される。この番組表は、電子番組ガイド＝ＥＰＧ（Electronic Program Guide）と呼ばれている。ユーザは、電子番組ガイドを画面に表示して、現在放送されているテレビ番組を、リモートコントローラ（以下、「リモコン」という。）によって容易に選択し、選択した番組（コンテンツ）を視聴することができる。
【０００３】
近年、インターネットなどのネットワークを利用した動画配信サービスが普及しており、種々のコンテンツがテレビの放送時間などに左右されず、見たい時に、指定すればいつでも自由に視聴することができるようになった。
この動画配信サービスは、インターネットに接続されたサーバ上にストリーミングコンテンツ（動画コンテンツ）を格納し、各ユーザの要求に応じて当該ストリーミングコンテンツを送信するものである。現在の動画配信サービスは、コンピュータからマウスやキーボードなどの入力手段を用いてストリーミングコンテンツを検索し、当該ストリーミングコンテンツをコンピュータのモニタ上に表示することが前提となっている。
ＹｏｕＴｕｂｅ（登録商標）などの動画配信サービスは、時々刻々と新しいコンテンツがアップロードされる。動画配信サービスにアップロードされた多くのストリーミングコンテンツの中から、ユーザが見たい嗜好コンテンツを検索して閲覧するのは、煩雑な操作となりやすい。また、類似したコンテンツが多く見つかった場合は、その中から、見たいと思うコンテンツを選択するのは、困難であった。
【０００４】
各家庭のリビングに設置されているテレビ受像機でテレビ放送を楽しむように、動画配信サービスによるストリーミングコンテンツをリビングのテレビ受像機で楽しめるような動画の受信機も開発されている。例えば、出願人が開発したＲｏｃｋＴｕｂｅ（登録商標）などである。このような動画受信機は、リモコンで操作するため、コンピュータ上で実現されている動画配信サービスをそのまま提供するのは、不適切であった。
【０００５】
テレビ放送に於いて電子番組表の技術が提供されているように、ネットワーク利用の動画配信サービスでも、電子番組表として各ストリーミングコンテンツを選択できるようにすることが求められている。
【０００６】
特許文献１には、テレビ番組表をより見易い形で表示し、より分かりやすい仕方で視聴又は記録するための番組を選択する発明が記載されている。より見易い形とは、テレビ番組を、時間およびチャンネルという基本形式で電子番組表に表示することを含んでいる。
【先行技術文献】
【特許文献】
【０００７】
【特許文献１】特許第３６００１４９号公報
【発明の概要】
【発明が解決しようとする課題】
【０００８】
特許文献１に記載されている発明は、テレビ放送に於ける番組表を前提としたものである。このようなテレビ番組表を、ネットワークを介してストリーミングコンテンツを受信する受信機で実現するためには、種々の問題がある。
【０００９】
動画配信サービスは、観たい時に好きなコンテンツを視聴可能である。しかし、動画配信サービスは、「チャンネル」や「放送時間」という概念を有していない場合に、どのようにしてチャンネルを構成して、チャンネルの集合体である番組表を表示するか、という問題がある。
【００１０】
また、コンピュータ向けの動画配信サービスの場合には、キーボードから検索キーワードなどを入力して、この検索キーワードに対応したコンテンツを選択することになる。しかし、これをリモコンで実現すると、検索キーワードの入力に多大な労力がかかり、よって使いにくいものになってしまう。
更にストリーミングコンテンツを受信する受信機は、再生中の動画を常に表示することが望ましいが、各種メニュー表示によって、その下層に再生されている動画の視聴を妨げられるおそれがある。
そこで、本発明は、ネットワークを介してストリーミングコンテンツを受信する受信機において、動画と共に各種メニューを好適に表示することを課題とする。
【課題を解決するための手段】
【００１１】
前記した課題を解決するため、本発明の受信機は、以下のように構成した。
すなわち、本発明では、ネットワークを介してストリーミングコンテンツを受信する受信機であって、ネットワークを介してデータを送受信する通信部と、前記通信部によって、チャンネルに対応した当該ストリーミングコンテンツのメタ情報を受信するメタ情報受信部と、前記チャンネルごとに当該ストリーミングコンテンツのインデックスを縦横方向に配列させたチャンネルリストを表示し、当該インデックス上にそれぞれ前記メタ情報を表示するチャンネルリスト表示部と、操作部の上下左右の方向操作子により、上下左右いずれかの方向に移動する操作要素で当該インデックスを指し示し、指し示した当該インデックスを、前記操作部の決定操作子によって決定するコンテンツ決定部と、前記コンテンツ決定部によって決定された当該インデックスに係る当該ストリーミングコンテンツを、前記通信部によって受信するコンテンツ受信部と、当該ストリーミングコンテンツを動画として再生するコンテンツ再生部と、を備えており、前記チャンネルリスト表示部は、前記コンテンツ再生部による動画再生中において前記方向操作子が押されたならば、押された当該方向操作子の位置に対応する表示位置に一行または一列のインデックスを表示したのち、全ての当該インデックスのうち１つを前記操作要素によって指し示し、前記方向操作子が当該インデックスの配列方向とは垂直の方向に操作された場合、前記操作要素が指し示す当該インデックスが含まれている当該チャンネルリストの表示を前記方向操作子の操作方向に伸ばして一列または一行だけスクロールし、かつ他のチャンネルリストの表示をスクロールせず、前記コンテンツ再生部は、前記インデックスの下層に再生中の動画を表示する、ことを特徴とするストリーミングコンテンツの受信機とした。
その他の手段については、発明を実施するための形態のなかで説明する。
【発明の効果】
【００１２】
本発明によれば、ネットワークを介してストリーミングコンテンツを受信する受信機において、動画と共に各種メニューを好適に表示することができる。
【図面の簡単な説明】
【００１３】
【図１】本実施形態に於ける受信機を示す概略の構成図である。
【図２】本実施形態に於けるリモコンの構成を示す図である。
【図３】本実施形態に於けるリモコンキーと各メニューへの遷移を示す図である。
【図４】本実施形態に於ける番組表（４列）を示す図である。
【図５】本実施形態に於けるチャンネル設定を示す図である。
【図６】本実施形態に於ける受信機の起動後の状態遷移図である。
【図７】本実施形態に於ける動画モードの状態遷移図である。
【図８】本実施形態に於けるコンテンツ視聴モードの状態遷移図である。
【図９】本実施形態に於けるサービスメニューモードの状態遷移図である。
【図１０】本実施形態に於けるチャンネルメニューモードの状態遷移図である。
【図１１】本実施形態に於ける番組表モードの状態遷移図である。
【図１２】本実施形態に於ける関連動画リストモードの状態遷移図である。
【図１３】本実施形態に於ける投稿者動画リストモードの状態遷移図である。
【図１４】本実施形態に於ける番組表（４列）の表示動作を示す図である。
【図１５】本実施形態に於ける番組表（４列）の表示処理を示すフローチャートである。
【図１６】本実施形態に於ける番組表（１０列）の表示動作を示す図である。
【図１７】本実施形態に於けるチャンネルメニューの選択動作を示す図である。
【図１８】本実施形態に於ける関連動画リストの表示動作を示す図である。
【図１９】本実施形態に於ける関連動画リストの表示処理を示すフローチャートである。
【発明を実施するための形態】
【００１４】
以降、本発明を実施するための形態を、図を参照して詳細に説明する。
【００１５】
（本実施形態の構成）
図１は、本実施形態に於ける受信機を示す概略の構成図である。
受信機１０は、処理部１１と、通信部２０と、リモコン受信部２１と、記憶部２２と、不揮発性記憶部２３と、画像表示部２４と、外部インタフェース２５とを備えている。受信機１０は、ネットワーク１００を介してストリーミングコンテンツを受信するものである。受信機１０は、リモコン３０が送信する操作情報を、リモコン受信部２１によって受信し、当該操作情報に基いて動作する。
受信機１０の通信部２０は、ネットワーク１００であるインターネットを介して動画サーバ「Ａ」２００Ａ、動画サーバ「Ｂ」２００Ｂ、および、番組情報サーバ「Ａ」３００Ａに接続されている。以下、動画サーバ「Ａ」２００Ａ、動画サーバ「Ｂ」２００Ｂを区別しないときには、単に動画サーバ２００と記載する。
なお、以下で、ストリーミングコンテンツのことを、単に「コンテンツ」と記載している場合がある。
【００１６】
動画サーバ２００は、ストリーミングコンテンツを格納しているサーバであり、外部装置からの要求に応じて、格納しているストリーミングコンテンツを送信する。動画サーバ２００は、外部装置から検索情報を受信したとき、この検索情報に応じたストリーミングコンテンツのＵＲＬ（Uniform Resource Locator）を送信する機能を有している。ここで検索情報とは、ストリーミングコンテンツのタイトル、ストリーミングコンテンツに付与されたキーワード、ストリーミングコンテンツを投稿した投稿者の名前などである。
【００１７】
更に、動画サーバ２００は、外部装置から、ストリーミングコンテンツの識別情報を受信したとき、当該識別情報に関連付けられたストリーミングコンテンツのＵＲＬを送信する機能を有している。当該ストリーミングコンテンツに関連付けられたストリーミングコンテンツは、一般的には「関連動画」と呼ばれている。
【００１８】
番組情報サーバ「Ａ」３００Ａは、所定のチャンネルに関するストリーミングコンテンツのメタ情報を格納しているサーバであり、外部装置からの要求に応じて、格納しているストリーミングコンテンツを送信するものである。
【００１９】
受信機１０は、画像表示部２４によって、例えば、ＨＤＭＩ（High-Definition Multimedia Interface）ケーブルを介して、テレビ５０に接続されている。受信機１０は、外部インタフェース２５によって、例えばＵＳＢ（Universal Serial Bus）ケーブルを介して、ストレージ４０に接続されている。
【００２０】
処理部１１は、例えば、ＣＰＵ（Central Processing Unit）がＲＡＭ（Random Access Memory）にソフトウェアプログラムを読込んで実行することによって具現化される。
通信部２０は、例えば、ネットワークインタフェースであり、ネットワーク１００（インターネット）に接続されている他の機器やサーバとの間で、相互にデータを通信するものである。
【００２１】
リモコン受信部２１は、リモコン３０が送信した赤外線信号などを受信すると共にデコードし、ユーザが押下したリモコン３０のキーの信号を受信するものである。リモコン３０は、テレビ５０に出力している画面上の操作要素であるフォーカス７７（図４）をいずれかの方向に操作する上下左右キー３２（図２）、および、この操作要素であるフォーカス７７を決定する決定キー３２ａ（図２）を有している。
記憶部２２は、例えば、ＲＡＭなどであり、一時的にデータなどを格納するものである。
【００２２】
不揮発性記憶部２３は、例えば、フラッシュメモリやハードディスクなどであり、データなどを格納すると共に、電源オフされているときでも格納しているデータを消失しないように構成されているものである。
画像表示部２４は、処理部１１の指示に応じて、画像データを生成して、外部表示装置であるテレビ５０に画像信号を出力するものである。
【００２３】
外部インタフェース２５は、例えば、ＵＳＢホストコントローラであり、外部に接続されているストレージ４０にデータを格納したり、ストレージ４０に格納されているデータを読み出したりするものである。
【００２４】
処理部１１は、メタ情報受信部１２と、チャンネルリスト表示部１５と、コンテンツ決定部１６と、コンテンツ受信部１７と、コンテンツ再生部１８とを備えている。メタ情報受信部１２は更に、テキスト情報受信部１３と、サムネイル情報受信部１４とを備えている。
【００２５】
メタ情報受信部１２は、通信部２０によって、各チャンネルに対応したストリーミングコンテンツのメタ情報を受信するものである。テキスト情報受信部１３は、メタ情報に含まれるテキスト情報を受信するものである。サムネイル情報受信部１４は、メタ情報に含まれるサムネイル情報を受信するものである。
ここで、チャンネルとは、検索情報によって集められた（検索された）ストリーミングコンテンツの集合のことをいう。チャンネルは、例えば、タイトルとキーワードによって検索されたストリーミングコンテンツ、投稿者によって検索されたストリーミングコンテンツ、または、所定のストリーミングコンテンツと関連付けられているストリーミングコンテンツである。これらの検索情報は、例えばタイトルとキーワードの組合せ、投稿者などであり、予め当該受信機１０の不揮発性記憶部２３に登録されている。
【００２６】
チャンネルリスト表示部１５は、チャンネルごとにストリーミングコンテンツのインデックス７３（図４）を縦方向に配列させたチャンネルリスト７１（図４）を表示し、インデックス７３（図４）上にそれぞれのメタ情報を表示するものである。なお、チャンネルリスト表示部１５は、インデックス７３を横方向に配列させたチャンネルリスト７１を表示してもよい。
【００２７】
コンテンツ決定部１６は、上下左右キー３２（図２）で操作するフォーカス７７（図４）によってインデックス７３（図４）を指し示し、指し示したインデックス７３（図４）を決定キー３２ａ（図２）によって決定するものである。
コンテンツ受信部１７は、ストリーミングコンテンツを通信部２０によって受信するものである。
コンテンツ再生部１８は、受信したストリーミングコンテンツを再生するものである。
【００２８】
図２は、本実施形態に於けるリモコンの構成を示す図である。
リモコン３０は上部に、電源キー３１と、上キー３２Ｕと、下キー３２Ｄと、左キー３２Ｌと、右キー３２Ｒとを備えている。以下、上キー３２Ｕと、下キー３２Ｄと、左キー３２Ｌと、右キー３２Ｒとを総称して、上下左右キー３２と記載している場合がある。更に図面に於いて、上キー３２Ｕを上矢印、下キー３２Ｄを下矢印、左キー３２Ｌを左矢印、右キー３２Ｒを右矢印で示している場合がある。
【００２９】
電源キー３１は、この受信機１０の電源のオンとオフの指示を行うものである。上下左右キー３２は、操作要素を上下左右いずれかの方向に操作するものである。
更に、リモコン３０は、投稿者キー３３ａと、関連動画キー３３ｂと、番組表キー３３ｃと、戻るキー３３ｄとを備えている。
投稿者キー３３ａは、投稿者動画リスト７０ｃ（図３）を画面に表示するキーである。
関連動画キー３３ｂは、関連動画リスト７０ｄ（図３）を画面に表示するキーである。
番組表キー３３ｃは、番組表７０ａ（図３）を画面に表示するキーである。
戻るキー３３ｄは、現在表示している画面に遷移する１つ前の画面に戻るキーである。
【００３０】
更に、リモコン３０は下部に、表示順キー３４ａと、メニューキー３４ｂと、情報キー３４ｃと、リストキー３５ａと、お気に入りキー３５ｂと、コンテンツ保存キー３５ｃと、前チャンネルキー３６ａと、後チャンネルキー３６ｂと、検索キー３６ｃと、削除キー３７ａと、選択キー３７ｂと、ホームキー３７ｃとを備えている。なお、図面では、前チャンネルキー３６ａを三角形で示し、後チャンネルキー３６ｂを逆三角形で示している。
表示順キー３４ａは、チャンネルリスト７１（図３）に於けるストリーミングコンテンツの表示順番を切りかえるキーである。
メニューキー３４ｂは、メインメニューの表示（不図示）に遷移するキーである。
情報キー３４ｃは、現在再生中のストリーミングコンテンツのメタ情報を表示するキーである。
リストキー３５ａは、お気に入りメニュー８０（図３）または保存コンテンツメニュー８１（不図示）を画面に表示するキーである。
お気に入りキー３５ｂは、現在再生中の動画を、お気に入りメニュー８０（図３）に登録するものである。
コンテンツ保存キー３５ｃは、現在再生中の動画を保存するものである。但し、保存されたコンテンツ再生中には、当該コンテンツ保存キー３５ｃの操作は無効となる。
前チャンネルキー３６ａは、前のチャンネルを選択するものである。
後チャンネルキー３６ｂは、後のチャンネルを選択するものである。
検索キー３６ｃは、検索画面（不図示）に遷移するものである。
削除キー３７ａは、現在選択しているインデックス７３を削除するものである。
選択キー３７ｂは、現在指し示しているインデックス７３を選択するものである。
ホームキー３７ｃは、ホーム画面（不図示）であるメインメニューに遷移するものである。
【００３１】
図３は、本実施形態に於けるリモコンキーと各メニューへの遷移を示す図である。
２段目中央の画面９０−１は、ストリーミングコンテンツ（動画）を再生している画面である。以下、図３は、リモコン３０の上下左右キー３２に対応して、これらの押下によって遷移する画面９０−２〜９０−４を配置している。
更に、リモコン３０の左下方向に配置された番組表キー３３ｃに対応して、図３の左下には、当該番組表キー３３ｃの押下で遷移する画面９０−６を配置している。リモコン３０の左上方向に配置された投稿者キー３３ａに対応して、図３の左上には、当該投稿者キー３３ａの押下で遷移する画面９０−７を配置している。リモコン３０の右上方向に配置された関連動画キー３３ｂに対応して、図３の右上には、当該関連動画キー３３ｂで遷移する画面９０−８を配置している。
１段目中央の画面９０−２は、画面９０−１に於いて、上キー３２Ｕが押されたときに遷移する画面である。受信機１０は、画面９０−２上部に、お気に入りメニュー８０を表示している。このように、受信機１０は、画面９０−２の上部にお気に入りメニュー８０を１行だけ表示しているので、再生中のコンテンツの視聴を妨げることなくお気に入りメニュー８０を選択可能である。更に、受信機１０は、上キー３２Ｕが押されたとき、画面上部にお気に入りメニュー８０を表示する。操作キーの位置とメニュー表示位置とが対応しているので、ユーザが当該機能を覚えやすくなるという効果がある。
【００３２】
２段目右側の画面９０−３は、画面９０−１に於いて、右キー３２Ｒが押されたときに遷移する画面である。受信機１０は、画面９０−３に早送りマークを表示し、再生中のコンテンツに対し、例えば１５秒のスキップを実行する。
【００３３】
３段目の画面９０−４は、画面９０−１に於いて、下キー３２Ｄが押されたときに遷移する画面である。受信機１０は、画面９０−４下部に、チャンネルメニュー７０ｂを表示している。このように、受信機１０は、画面９０−４の下部にチャンネルメニュー７０ｂを１行だけ表示しているので、再生中のストリーミングコンテンツの視聴を妨げることなくチャンネルを選択可能である。更に、受信機１０は、下キー３２Ｄが押されたとき、画面下部にチャンネルメニュー７０ｂを表示する。操作とメニュー表示位置とが対応しているので、ユーザが当該機能を覚えやすくなるという効果がある。
【００３４】
２段目左側の画面９０−５は、画面９０−１に於いて、左キー３２Ｌが押されたときに遷移する画面である。受信機１０は、画面９０−５に巻き戻しマークを表示し、再生中のコンテンツに対し、例えば１５秒の戻しを実行する。
３段目の画面９０−６は、画面９０−１に於いて、番組表キー３３ｃが押されたときに遷移する画面である。受信機１０は、画面９０−６に番組表７０ａを表示する。
【００３５】
１段目左側の画面９０−７は、画面９０−１に於いて、投稿者キー３３ａが押されたときに遷移する画面である。受信機１０は、画面９０−７に投稿者動画リスト７０ｃを表示する。このように、受信機１０は、画面９０−７の右部に１列だけ表示しているので、再生中のストリーミングコンテンツの視聴を妨げることなく、新たな別のストリーミングコンテンツを選択可能である。
ここで、投稿者動画リスト７０ｃとは、再生中のコンテンツを動画サーバ２００に投稿した（アップロードした）投稿者が、過去に当該動画サーバ２００に投稿したコンテンツ（動画）のリストのことをいう。
【００３６】
１段目右側の画面９０−８は、画面９０−１に於いて、関連動画キー３３ｂが押されたときに遷移する画面である。受信機１０は、画面９０−８に関連動画リスト７０ｄを表示する。このように、受信機１０は、画面９０−８の右部に１列だけ表示しているので、再生中のストリーミングコンテンツの視聴を妨げることなく、新たな別のストリーミングコンテンツを選択可能である。
ここで、関連動画リスト７０ｄとは、動画サーバ２００に於いて、再生中のコンテンツと予め関連付けられているコンテンツ（動画）のリストのことをいう。
【００３７】
図４（ａ），（ｂ）は、本実施形態に於ける番組表（４列）を示す図である。
図４（ａ）は、番組表７０ａの全体の構成を示す図である。
番組表７０ａは、チャンネルリスト７１ａ−１〜７１ａ−４を有している。
チャンネルリスト７１ａ−１は、チャンネル番号「ｃｈ１」が付与されており、ニュースに関するコンテンツを含んでいるので、チャンネルの属性は「ニュース」である。
チャンネルリスト７１ａ−２は、チャンネル番号「ｃｈ２」が付与されており、チャンネルの属性は「スポーツ」である。
チャンネルリスト７１ａ−３は、チャンネル番号「ｃｈ３」が付与されており、チャンネルの属性は「音楽」である。
チャンネルリスト７１ａ−４は、チャンネル番号「ｃｈ４」が付与されており、チャンネルの属性は「ドラマ」である。
以下、番組表７０ａの各チャンネルリスト７１ａ−１〜７１ａ−４を特に区別しないときには、単にチャンネルリスト７１ａという。
各チャンネルリスト７１ａは、タイトル７２と、縦方向に配列した６個のインデックス７３と、チャンネルリストガイド７６とを備えている。
【００３８】
タイトル７２は、チャンネル番号とチャンネルの属性とを表示するものである。例えば、チャンネルリスト７１ａ−１のタイトル７２は、「ｃｈ１・ニュース」を表示している。しかし、これに限られず、タイトル７２は、チャンネル番号とチャンネル属性のいずれか一方のみを表示してもよい。
インデックス７３は、それぞれ対応するコンテンツのメタ情報を表示するものである。
チャンネルリストガイド７６は、チャンネルリスト７１全体に於ける、表示中の６個のインデックス７３の相対的な位置を示すものである。本実施形態に於いて、チャンネルリスト７１が含んでいるストリーミングコンテンツ全体が、このチャンネルリスト７１の右側の縦長の長方形で表示されている。この表示中の６個のインデックス７３が指し示すストリーミングコンテンツが、このチャンネルリスト７１の右側の縦長の長方形に於ける斜線部分として表示されている。
【００３９】
図４（ｂ）は、インデックス７３と読込指示インデックス７４とを拡大表示した図である。
インデックス７３は、サムネイル７３ａと、タイトル表示７３ｂ−１と、投稿者表示７３ｂ−２と、再生時間表示７３ｂ−３と、再生回数表示７３ｂ−４と、評価表示７３ｂ−５とを備えている。更に、下から２番目に表示されているインデックス７３には、操作要素を示すフォーカス７７が付与され、枠線が太く強調表示されている。更に、フォーカス７７が付与されているインデックス７３の枠線の色は、他のインデックス７３の枠線の色とは相違している。フォーカス７７が付与されているインデックス７３のタイトル表示７３ｂ−１は、タイトル文字が常に横方向にスクロールして表示されている。以下、タイトル表示７３ｂ−１、投稿者表示７３ｂ−２、再生時間表示７３ｂ−３、再生回数表示７３ｂ−４、評価表示７３ｂ−５などに代表されるテキストのメタ情報の表示部を、テキスト表示７３ｂという。
【００４０】
前記した番組表７０ａの全てのインデックス７３のうち、いずれか１つのインデックス７３に、操作要素を示すフォーカス７７が付与されている。フォーカス７７が付与されているインデックス７３は、視認可能なように強調表示されている。このフォーカス７７が付与されているインデックス７３の強調表示は、例えば、輝度信号、色信号、透明度、文字の太さ、枠の色、枠の太さなどによるものである。
【００４１】
読込指示インデックス７４は、チャンネルリスト７１ａの末尾に表示されているものである。読込指示インデックス７４が上下左右キー３２によって選択され、決定キー３２ａによって決定されたとき、受信機１０は、このチャンネルの次の２０件のコンテンツのメタ情報を読み取って、チャンネルリスト７１ａに追加表示する。これにより、ユーザは、上下左右キー３２と決定キー３２ａとによって、受信機１０に、次の２０件のコンテンツのメタ情報を受信するように指示できる。
更に、当該チャンネルリスト７１ａに於いて、未だ読み取っていないコンテンツがあれば、当該チャンネルリスト７１ａの末尾に読込指示インデックス７４を表示し、全てのコンテンツを読み取ったならば、当該チャンネルリスト７１ａの末尾に読込指示インデックス７４を表示しない。これにより、当該チャンネルリスト７１ａを全て読込んだか否かを、読込指示インデックス７４によって示すことができる。
【００４２】
図５は、本実施形態に於けるチャンネル設定を示す図である。
チャンネル設定６０は、チャンネル０からチャンネル４までの設定項目を有している。
チャンネル０の設定項目は、番組情報サーバ設定６１を有している。番組情報サーバ設定６１は、番組情報サーバ３００のＵＲＬを設定する項目である。受信機１０は、番組情報サーバ設定６１に設定されたＵＲＬに基いて、チャンネル０に係るストリーミングコンテンツのＵＲＬを取得し、取得したＵＲＬに基いて、いずれかの動画サーバ２００からストリーミングコンテンツのメタ情報や、ストリーミングコンテンツ本体を受信する。
チャンネル１〜４の設定項目は、それぞれ、動画サーバ設定６２、チャンネルタイトル設定６３、検索キーワード設定６４を有している。
動画サーバ設定６２は、動画サーバ２００のＵＲＬを設定する項目である。
チャンネルタイトル設定６３は、ストリーミングコンテンツのタイトル情報の検索情報を設定する項目である。
検索キーワード設定６４は、ストリーミングコンテンツのキーワード情報の検索情報を設定する項目である。受信機１０は、ストリーミングコンテンツのタイトル情報とキーワード情報とに基いて、動画サーバ２００上のストリーミングコンテンツを検索し、ユーザの意図するチャンネルを構成するストリーミングコンテンツの集合を得ることができる。
【００４３】
受信機１０は、リモコン３０のテンキー（不図示）によって、番組情報サーバ設定６１、動画サーバ設定６２、チャンネルタイトル設定６３、検索キーワード設定６４の各設定項目に文字列を入力し、決定キー３２ａの押下により、各設定項目を決定することができる。受信機１０は、各チャンネルの各設定項目に決定された文字列の履歴を記憶している。
更に受信機１０は、リモコン３０のキー入力によって、各設定項目に過去に入力した履歴を当該各項目に再表示し、決定キー３２ａの押下により、再表示した文字列を各設定項目に決定することができる。これにより、受信機１０は、リモコン３０のキー入力によって、過去に入力した文字列を容易に再利用することができる。
受信機１０は、動画サーバ設定６２に設定されたＵＲＬに対して、チャンネルタイトル設定６３の情報を含むタイトル情報を有し、かつ、検索キーワード設定６４に設定された情報を含むキーワード情報を有するストリーミングコンテンツを検索し、当該チャンネルのストリーミングコンテンツとする。これにより、受信機１０は、複数の動画検索サービスを、それぞれチャンネルに登録してストリーミングコンテンツを再生することができる。
【００４４】
（本実施形態の動作）
図６は、本実施形態に於ける受信機の起動後の状態遷移図である。
受信機１０は、ＡＣ電源が接続されると、モードＭ１０に遷移する。
モードＭ１０に遷移したのち、受信機１０は、モードＭ１１に遷移する。
モードＭ１１に於いて、受信機１０は、起動処理を行ったのちにモードＭ１２に遷移する。
モードＭ１２に於いて、受信機１０は、接続されているテレビ５０の画面上に、スプラッシュスクリーンを所定時間に亘って表示する。受信機１０は、所定時間が経過すると、動画モードＭ１４に遷移する。
【００４５】
動画モードＭ１４に於いてホームキー３７ｃを押下すると、受信機１０は、メインメニューＭ１３に遷移する。
メインメニューＭ１３に於いて、受信機１０は、画面上に「動画モード」項目と「ＳＴＢ設定モード」項目の２つの設定メニュー項目を表示し、メインループＬ１３に遷移する。なお、ＳＴＢとは「Set Top Box」の略称である。
メインループＬ１３に於いて、受信機１０は、右キー３２Ｒと左キー３２Ｌとによって設定メニュー項目を選択する。
【００４６】
メインループＬ１３に於いて、受信機１０は、決定キー３２ａによって「動画モード」が決定されたならば、動画モードＭ１４に遷移し、決定キー３２ａによって「ＳＴＢ設定モード」が決定されたならば、ＳＴＢ設定モードＭ１５に遷移する。
【００４７】
図７は、本実施形態に於ける動画モードの状態遷移図である。
動画モードＭ１４は、受信機１０の起動後の状態遷移に於いて選択されるモードである。以下、モードＭ２０〜Ｍ３８は、全て動画モードＭ１４に含まれている。
動画モードＭ１４のモードＭ２０に於いて、受信機１０は、不揮発性記憶部２３にレジューム情報が格納されているか否かを判断する。受信機１０は、レジューム情報が格納されていたならば（あり）、モードＭ２５に遷移し、レジューム情報が格納されていなかったならば（なし）、モードＭ２１に遷移する。
【００４８】
モードＭ２１に於いて、受信機１０は、不揮発性記憶部２３にデフォルトチャンネルの設定が格納されているか否かを判断する。受信機１０は、デフォルトチャンネルの設定が格納されてなかったならば（なし）、モードＭ２２に遷移し、デフォルトチャンネルの設定が格納されていたならば（あり）、モードＭ２３に遷移する。
モードＭ２２に於いて、受信機１０は、現在のチャンネルをチャンネル０に設定し、モードＭ２４に遷移する。
モードＭ２３に於いて、受信機１０は、現在のチャンネルをデフォルトチャンネルに設定し、モードＭ２４に遷移する。
【００４９】
モードＭ２４に於いて、受信機１０は、現在の動画をチャンネルの先頭に設定し、コンテンツ視聴モードＭ２７に遷移する。このコンテンツ視聴モードＭ２７は、後記する図８で詳細に説明する。
モードＭ２５に於いて、受信機１０は、現在のチャンネルをレジューム情報に格納されていた保存コンテンツ列７１ｆに設定し、モードＭ２６に遷移する。
モードＭ２６に於いて、受信機１０は、現在の動画をレジューム情報に基いて設定し、コンテンツ視聴モードＭ２７に遷移する。
コンテンツ視聴モードＭ２７に於いて、受信機１０は、現在の動画を再生しつつ、イベントループＬ２７の入力待ちとなる。このとき、受信機１０は、各キーに応じて以下の動作を行う。
【００５０】
ホームキー３７ｃが押されると、受信機１０は、サービスメニューモードＭ２８に遷移する。このサービスメニューモードＭ２８は、後記する図９で詳細に説明する。
下キー３２Ｄが押されると、受信機１０は、チャンネルメニューモードＭ２９に遷移する。このチャンネルメニューモードＭ２９は、後記する図１０で詳細に説明する。
番組表キー３３ｃが押されると、受信機１０は、番組表モードＭ３０に遷移する。この番組表モードＭ３０は、後記する図１１で詳細に説明する。
情報キー３４ｃが押されると、受信機１０は、ＯＳＤ（On Screen Display）表示モードＭ３１に遷移する。
左キー３２Ｌまたは右キー３２Ｒが押されると、受信機１０は、トリックプレイモードＭ３２に遷移する。
前チャンネルキー３６ａまたは後チャンネルキー３６ｂが押されると、受信機１０は、動画変更モードＭ３３に遷移する。
【００５１】
上キー３２Ｕが押されると、受信機１０は、モードＭ３４に遷移する。モードＭ３４に於いて、受信機１０は、ストリーミング再生中であったならば、お気に入りメニューモードＭ３５に遷移し、保存されたコンテンツ再生中であったならば、保存コンテンツメニューモードＭ３６に遷移する。
投稿者キー３３ａが押されると、受信機１０は、投稿者動画リストモードＭ３７に遷移する。投稿者動画リストモードＭ３７は、後記する図１３で詳細に説明する。
関連動画キー３３ｂが押されると、受信機１０は、関連動画リストモードＭ３８に遷移する。関連動画リストモードＭ３８は、後記する図１２で詳細に説明する。
【００５２】
図８は、本実施形態に於けるコンテンツ視聴モードの状態遷移図である。
コンテンツ視聴モードＭ２７は、図７のイベントループＬ２７から遷移するモードである。以下、モードＭ４０〜Ｍ５５は、全て当該コンテンツ視聴モードＭ２７に含まれている。
【００５３】
コンテンツ視聴モードＭ２７のモードＭ４０に於いて、受信機１０は、再生状態を判断する。受信機１０は、停止状態であったならば、状態Ｌ４０に遷移し、再生中であったならば、モードＭ４１に遷移して再生停止し、更に状態Ｌ４０に遷移する。
状態Ｌ４０に於いて、受信機１０は、モードＭ４２に遷移して、ストレージ４０が接続されていか否かをチェックする。
【００５４】
モードＭ４２に於いて、受信機１０は、ストレージ４０のチェック結果がＯＫであるか否かを判断する。受信機１０は、当該条件が成立したならば（ＯＫ）、モードＭ４３に遷移し、当該条件が成立しなかったならば（ＮＧ）、モードＭ４５に遷移する。
【００５５】
モードＭ４３に於いて、受信機１０は、現在の動画が保存コンテンツメニュー８１に格納されているか否かを判断する。受信機１０は、当該条件が成立したならば（ＯＫ）、モードＭ４４に遷移し、当該条件が成立しなかったならば（ＮＧ）、モードＭ４５に遷移する。
モードＭ４４に於いて、受信機１０は、ストレージ４０に格納され、保存されたコンテンツである現在の動画を再生し、状態Ｌ４４に遷移する。
【００５６】
モードＭ４５に遷移すると、受信機１０は、ネットワーク１００のチェックを行う。すなわち、受信機１０は、ネットワーク１００（インターネット）に接続されているか否かを確認する。受信機１０は、当該条件が成立したならば（ＯＫ）、モードＭ４７に遷移し、当該条件が成立しなかったならば（ＮＧ）、モードＭ４６に遷移する。
モードＭ４６に於いて、受信機１０は、エラーを通知すると、再度モードＭ４５に戻る。
【００５７】
モードＭ４７に於いて、受信機１０は、ストリーミング再生を行って状態Ｌ４４に遷移し、自動コンテンツ保存ＯＮが設定されていたならば、並行してモードＭ４８に遷移する。
【００５８】
モードＭ４８に於いて、受信機１０は、保存されたコンテンツを格納しているストレージ４０が接続されていることをチェックする。受信機１０は、当該条件が成立したならば（ＯＫ）、モードＭ４９に遷移し、当該条件が成立しなかったならば、以下の遷移は行わない。
【００５９】
モードＭ４９に於いて、受信機１０は、保存されたコンテンツに当該再生中のストリーミングコンテンツが格納されているか否かをチェックする。受信機１０は、当該条件が成立しなかったならば（ＮＧ）、モードＭ５０に遷移し、当該条件が成立したならば、以下の遷移は行わない。
モードＭ５０に於いて、受信機１０は、自動コンテンツ保存処理を実行する。すなわち、受信機１０は、再生しているストリーミングコンテンツを、逐次ストレージ４０にコンテンツを保存する。
【００６０】
状態Ｌ４４に遷移したのち、受信機１０は、モードＭ５１に於いて、再生状態を判断する。受信機１０は、再生成功ならば、再生中の処理であるモードＭ５２に遷移し、再生失敗ならば、モードＭ５３に遷移する。
【００６１】
モードＭ５２に於いて、受信機１０は、リモコン３０からキー情報を受信したか否かを判断する。受信機１０は、キー情報を受信したならばイベントループＬ２７（図６）に戻り、受信しなかったならば、状態Ｌ５２に遷移する。
モードＭ５３に於いて、受信機１０は、再生失敗の旨をエラー通知して状態Ｌ５２に遷移する。
【００６２】
状態Ｌ５２に於いて、受信機１０は、再生が終了したならば、モードＭ５４に遷移して現在の動画に、現在のチャンネルの次のコンテンツを設定する。受信機１０は、現在のチャンネルの次のコンテンツが設定できたならば（ＯＫ）、状態Ｌ５４に遷移し、チャンネル終端のために設定できなかったならば（チャンネル終端）、モードＭ５５に遷移する。
モードＭ５５に於いて、受信機１０は、現在の動画に、現在のチャンネルの先頭コンテンツを設定し、状態Ｌ５４に遷移する。
状態Ｌ５４に遷移したのち、受信機１０は、状態Ｌ４０に戻る。コンテンツ視聴モードＭ２７に於いて、受信機１０は、モードＭ４０〜Ｍ５５の処理を繰り返す。
【００６３】
図９は、本実施形態に於けるサービスメニューモードの状態遷移図である。
サービスメニューモードＭ２８は、イベントループＬ２７（図７）に於いて、ホームキー３７ｃを押したときに遷移するモードである。以下、モードＭ６０〜Ｍ７１は、全てサービスメニューモードＭ２８に含まれている。
【００６４】
サービスメニューモードＭ２８のモードＭ６０に遷移すると、受信機１０は、サービスメニューを画面に表示し、モードＭ６１に遷移する。このサービスメニューには、「ＳＴＢ設定」項目と、「動画モード設定」項目とが表示されている。
モードＭ６１に於いて、受信機１０は、左キー３２Ｌと右キー３２Ｒとによって、いずれかの設定メニュー項目を選択する。
【００６５】
イベントループＬ６１に於いて、受信機１０は、「ＳＴＢ設定」が選択された状態で決定キー３２ａが押下されたならば、ＳＴＢ設定モードＭ６２に遷移し、「動画モード設定」が選択された状態で決定キー３２ａが押下されたならば、動画モード設定モードＭ６３に遷移し、戻るキー３３ｄが押下されたならば、サービスメニューモードＭ２８を終了してイベントループＬ２７（図７）に戻る。
【００６６】
ＳＴＢ設定モードＭ６２に遷移すると、受信機１０は、当該受信機１０のハードウェア設定画面（不図示）を表示する。受信機１０は、設定内容が決定されたならば、再びモードＭ６１に戻る。
動画モード設定モードＭ６３に遷移すると、受信機１０は、動画に関する設定画面（不図示）を表示し、戻るキー３３ｄが押されたならば、再びモードＭ６１に戻る。
【００６７】
動画モード設定モードＭ６３に於いて、受信機１０は、サービスメニューに更に「チャンネル設定」項目と、「レジューム設定」項目と、「コンテンツ保存設定」項目とを表示する。ユーザは、上下左右キー３２と決定キー３２ａによって、「チャンネル設定」項目を決定するとチャンネル設定モードＭ６４に、「レジューム設定」項目を決定するとレジューム設定モードＭ６８に、「コンテンツ保存設定」項目を決定するとコンテンツ保存設定モードＭ７０に、それぞれ遷移可能である。
【００６８】
チャンネル設定モードＭ６４に遷移すると、受信機１０は、チャンネル設定６０（図５）を表示する。受信機１０は、モードＭ６５に於いて、チャンネル１〜９に、検索情報であるキーワードが入力されたか否かを判断する。キーワードとは、例えば、チャンネルタイトルや検索キーワード（図５）などである。受信機１０は、モードＭ６６に於いて、画面に表示されたソフトウェアキーボードによってキーワードの入力を受け付けることも可能である。更に、受信機１０は、モードＭ６７に於いて、デフォルトチャンネルに、チャンネル番号を設定されたか否かを判断する。
レジューム設定モードＭ６８に遷移すると、受信機１０は、モードＭ６９に於いて、レジュームＯＮまたはレジュームＯＦＦが設定されたか否かを判断する。
【００６９】
コンテンツ保存設定モードＭ７０に遷移すると、受信機１０は、モードＭ７１に於いて、自動コンテンツ保存ＯＮまたは自動コンテンツ保存ＯＦＦが設定されたか否かを判断する。
【００７０】
図１０は、本実施形態に於けるチャンネルメニューモードの状態遷移図である。
チャンネルメニューモードＭ２９は、イベントループＬ２７（図７）に於いて、下キー３２Ｄを押したときに遷移するモードである。以下のモードＭ８０〜Ｍ９８は、全てチャンネルメニューモードＭ２９に含まれている。
【００７１】
イベントループＬ２７からモードＭ８０に遷移すると、受信機１０は、チャンネルメニュー７０ｂの表示と更新とを行い、モードＭ８１に於いて、全てのインデックス７３のサムネイル取得を行う。受信機１０は、サムネイル取得に失敗したならば、モードＭ８２に於いて、当該インデックス７３のサムネイル７３ａの表示部に、デフォルトの画像を表示する。
【００７２】
モードＭ８０に於いて、受信機１０は、表示順キー３４ａが押されたことを検知すると、フォーカス７７が指し示すチャンネルリスト７１のソート順番を切り替える。ソート順番は、デフォルトは動画サーバ２００が送付してきた順番であり、以下、タイトル順（昇順）、タイトル順（降順）、投稿日（昇順）、投稿日（降順）、再生時間（降順）、再生回数（降順）、評価（降順）、ユーザ再生回数（降順）、コンテンツ保存日（降順）に切り替える。コンテンツ保存日（降順）の次は、再び動画サーバ２００が送付してきた順番に切り替える。しかし、これに限られず、受信機１０は、ストリーミングコンテンツのメタ情報に基いて、チャンネルリスト７１を、いずれの順番に並べ替えてもよい。
【００７３】
モードＭ８０に於いて、受信機１０は、所定時間が経過すると、モードＭ８４に遷移し、チャンネルメニュー７０ｂを非表示とする。
モードＭ８４に於いて、受信機１０は、リモコン３０のキーのいずれかが押下されたことを検知すると、モードＭ８０に遷移して、チャンネルメニュー７０ｂを再表示する。
【００７４】
モードＭ８０に於いて、受信機１０は、左キー３２Ｌまたは右キー３２Ｒが押されると、モードＭ８５に遷移して、チャンネル間のフォーカス７７の移動を行う。受信機１０は、フォーカス７７が画面外に移動してしまう場合には、モードＭ９０に遷移して、フォーカス７７が画面内になるように左右スクロールを行い、モードＭ９１に遷移してチャンネルリスト７１のチェックを行う。受信機１０は、画面に表示するチャンネルリスト７１が全て取得済であったならば（ＯＫ）、モードＭ８０に遷移し、画面に表示するチャンネルリスト７１のいずれかが取得されていなかったならば（ＮＧ）、モードＭ９２に遷移して、取得されていなかったチャンネルの２０件のリストを取得する。受信機１０は、リスト取得に成功したならば（ＯＫ）、モードＭ８０に遷移し、リスト取得に失敗したならば（ＮＧ）、モードＭ９３に遷移して空リストを表示したのち、モードＭ８０に遷移する。
【００７５】
モードＭ８０に於いて、受信機１０は、選択キー３７ｂが押されると、モードＭ８６に遷移して、当該インデックス７３（コンテンツ）を選択する。モードＭ８６に遷移したのち、受信機１０は、モードＭ８９に遷移して、フォーカス７７がメニュー外の場合にはチャンネルリスト７１を上下にスクロールし、フォーカス７７が画面外の場合には、フォーカス７７が指し示すインデックス７３が画面に収まるようにチャンネルリスト７１を上下にスクロールする。モードＭ８９の処理が終了すると、受信機１０は、モードＭ８０に戻る。
【００７６】
モードＭ８０に於いて、受信機１０は、前チャンネルキー３６ａまたは後チャンネルキー３６ｂが押されると、モードＭ８７に遷移して、当該インデックス７３（コンテンツ）を上下に移動する。モードＭ８７に遷移したのち、受信機１０は、モードＭ８９に遷移して、フォーカス７７がメニュー外の場合にはチャンネルリスト７１を上下にスクロールし、フォーカス７７が画面外の場合には、フォーカス７７が指し示すインデックス７３が画面に収まるようにチャンネルリスト７１を上下にスクロールする。モードＭ８９の処理が終了すると、受信機１０は、モードＭ８０に戻る。
【００７７】
モードＭ８０に於いて、受信機１０は、上キー３２Ｕまたは下キー３２Ｄが押されると、モードＭ８８に遷移して、コンテンツ間（インデックス７３間）のフォーカス７７の移動を行う。モードＭ８８に遷移したのち、受信機１０は、モードＭ８９に遷移して、フォーカス７７がメニュー外の場合にはチャンネルリスト７１を上下にスクロールし、フォーカス７７が画面外の場合には、フォーカス７７が指し示すインデックス７３が画面に収まるようにチャンネルリスト７１を上下にスクロールする。モードＭ８９の処理が終了すると、受信機１０は、モードＭ８０に戻る。
【００７８】
モードＭ８０に於いて、受信機１０は、決定キー３２ａが押されると、モードＭ９４に遷移して、決定されたのは、「次の２０件」に係る読込指示インデックス７４、「コンテンツ」に係るインデックス７３のいずれであるかを判断する。
【００７９】
読込指示インデックス７４が決定されたならば（次の２０件）、受信機１０は、モードＭ９５に遷移して、チャンネルリスト７１の次の２０件のメタデータの取得を行い、モードＭ８０に戻る。
【００８０】
インデックス７３が決定されたならば（コンテンツ）、受信機１０は、モードＭ９６に遷移して、現在のチャンネルが決定されたチャンネルと一致し、かつ、現在の動画が決定されたコンテンツと一致するか否かを判断する。受信機１０は、チャンネルとコンテンツとが一致したならば、チャンネルメニューモードＭ２９を終了してイベントループＬ２７に戻り、チャンネルまたはコンテンツが不一致であったならば、モードＭ９７に遷移する。
【００８１】
モードＭ９７に於いて、受信機１０は、決定されたチャンネルを現在のチャンネルに設定し、決定されたコンテンツを現在の動画に設定し、モードＭ９８に遷移して、コンテンツ視聴を行う。このコンテンツ視聴は、選択したコンテンツ以外を順番に繰り返し再生するものである。
【００８２】
図１１は、本実施形態に於ける番組表モードの状態遷移図である。図１０に示すチャンネルメニューモードＭ２９と同一の要素には同一の符号を付与している。
番組表モードＭ３０は、イベントループＬ２７（図７）に於いて、番組表キー３３ｃを押したときに遷移するモードである。以下のモードＭ８０ａ〜Ｍ９８は、全て番組表モードＭ３０に含まれている。
【００８３】
番組表モードＭ３０は、チャンネルメニューモードＭ２９のモードＭ８０とは異なるモードＭ８０ａに遷移し、チャンネルメニューモードＭ２９のモードＭ８９とは異なるモードＭ８９ａに遷移する。それ以外のモードは、チャンネルメニューモードＭ２９のモードＭ８１〜Ｍ９８と同様である。
モードＭ８０ａに於いて、受信機１０は、番組表７０ａの表示と更新とを行う。
モードＭ８９ａに於いて、受信機１０は、フォーカス７７が画面外の場合には、フォーカス７７が指し示すインデックス７３が画面に収まるようにチャンネルリスト７１を上下にスクロールする。モードＭ８９ａの処理が終了すると、受信機１０は、モードＭ８０ａに戻る。
【００８４】
図１２は、本実施形態に於ける関連動画リストモードの状態遷移図である。図１０に示すチャンネルメニューモードＭ２９と同一の要素には同一の符号を付与している。
【００８５】
関連動画リストモードＭ３８は、イベントループＬ２７（図７）に於いて、関連動画キー３３ｂを押したときに遷移するモードである。以下のモードＭ８０ｂ〜Ｍ９８は、全て関連動画リストモードＭ３８に含まれている。
【００８６】
関連動画リストモードＭ３８は、チャンネルメニューモードＭ２９のモードＭ８０とは異なるモードＭ８０ｂに遷移し、チャンネルメニューモードＭ２９のモードＭ８９とは異なるモードＭ８９ａに遷移し、チャンネルメニューモードＭ２９のモードＭ９２とは異なるモードＭ９２ｂに遷移し、チャンネルメニューモードＭ２９のモードＭ９６，Ｍ９７とは異なるモードＭ９６ｂ，Ｍ９７ｂに遷移する。それ以外のモードは、チャンネルメニューモードＭ２９のモードＭ８１〜Ｍ９８と同様である。
モードＭ８０ｂに於いて、受信機１０は、関連動画リスト７０ｄの表示と更新とを行う。
モードＭ８９ａに於いて、受信機１０は、フォーカス７７が画面外の場合には、フォーカス７７が指し示すインデックス７３が画面に収まるようにチャンネルリスト７１を上下にスクロールする。モードＭ８９ａの処理が終了すると、受信機１０は、モードＭ８０ａに戻る。
【００８７】
モードＭ９２ｂに於いて、受信機１０は、フォーカス７７が付与されているインデックス７３のストリーミングコンテンツに係る関連動画リスト、すなわち、フォーカスしているコンテンツの関連動画リストを取得する。受信機１０は、関連動画リストが取得できたならば（ＯＫ）、モードＭ８０ｂに遷移し、関連動画リストが取得できなかったならば（ＮＧ）、モードＭ９３に遷移する。
【００８８】
モードＭ９６ｂに於いて、受信機１０は、現在のチャンネルが現在の関連動画リストと一致し、かつ、現在の動画が決定されたコンテンツと一致するか否かを判断する。受信機１０は、チャンネルとコンテンツとが一致したならば、関連動画リストモードＭ３８を終了してイベントループＬ２７に戻り、チャンネルまたはコンテンツが不一致であったならば、モードＭ９７ｂに遷移する。
【００８９】
モードＭ９７ｂに於いて、受信機１０は、現在の関連動画リストを現在のチャンネルに設定し、決定されたコンテンツを現在の動画に設定し、モードＭ９８に遷移する。
【００９０】
図１３は、本実施形態に於ける投稿者動画リストモードの状態遷移図である。図１０に示すチャンネルメニューモードＭ２９と同一の要素には同一の符号を付与している。
【００９１】
投稿者動画リストモードＭ３７は、イベントループＬ２７（図７）に於いて、投稿者キー３３ａを押したときに遷移するモードである。以下のモードＭ８０ｃ〜Ｍ９８は、全て投稿者動画リストモードＭ３７に含まれている。
【００９２】
投稿者動画リストモードＭ３７は、チャンネルメニューモードＭ２９のモードＭ８０とは異なるモードＭ８０ｃに遷移し、チャンネルメニューモードＭ２９のモードＭ８９とは異なるモードＭ８９ａに遷移し、チャンネルメニューモードＭ２９のモードＭ９６，Ｍ９７とは異なるモードＭ９６ｃ，Ｍ９７ｃに遷移する。更に、モードＭ８５，Ｍ９０〜Ｍ９３には遷移しない。それ以外のモードは、チャンネルメニューモードＭ２９のモードＭ８１〜Ｍ９８と同様である。
モードＭ８０ｃに於いて、受信機１０は、投稿者動画リスト７０ｃの表示と更新とを行う。
モードＭ８９ａに於いて、受信機１０は、フォーカス７７が画面外の場合には、チャンネルリスト７１を上下にスクロールし、モードＭ８０ｃに戻る。
【００９３】
モードＭ９６ｃに於いて、受信機１０は、現在のチャンネルが現在の投稿者動画リスト７０ｃと一致し、かつ、現在の動画が決定されたコンテンツと一致するか否かを判断する。受信機１０は、チャンネルとコンテンツとが一致したならば、関連動画リストモードＭ３８を終了してイベントループＬ２７に戻り、チャンネルまたはコンテンツが不一致であったならば、モードＭ９７ｃに遷移する。
【００９４】
モードＭ９７ｃに於いて、受信機１０は、現在の投稿者動画リスト７０ｃを現在のチャンネルに設定し、決定されたコンテンツを現在の動画に設定し、モードＭ９８に遷移する。
【００９５】
図１４（ａ），（ｂ）は、本実施形態に於ける番組表（４列）の表示動作を示す図である。
図１４（ａ）は、番組表７０ａの最初の表示を示している。各インデックス７３は、それぞれ縦方向に配列してチャンネルリスト７１ａ−１〜７１ａ−４を構成している。全てのインデックス７３には、テキスト表示７３ｂに、テキストのメタ情報が表示されている。しかし、いずれのインデックス７３にも、未だサムネイル画像が表示されていない。
【００９６】
図１４（ｂ）は、番組表７０ａにサムネイル画像が読込まれはじめたときの表示を示している。左端の３個のインデックス７３のみにサムネイル７３ａが表示されている。以下、矢印が示す順番で、各インデックス７３にサムネイル７３ａが表示される。
【００９７】
これにより、読込みに時間が掛らないテキスト情報に基いて、インデックス７３を配列して表示し、読込みに時間が掛るサムネイル情報を後から表示するので、番組表７０ａを直ちに表示してインデックス７３を選択可能である。更に、この番組表７０ａに、後からサムネイル画像を付与して、番組表７０ａが有しているコンテンツの内容を視覚的に表現することができる。
【００９８】
図１５は、本実施形態に於ける番組表（４列）の表示処理を示すフローチャートである。
処理を開始すると、受信機１０のメタ情報受信部１２は、ステップＳ１０〜Ｓ１６の処理を、番組表７０ａの全チャンネルについて繰返す。
ステップＳ１１に於いて、メタ情報受信部１２は、当該チャンネルのＵＲＬのダウンロード元は、番組情報サーバ３００であるか否かを判断する。メタ情報受信部１２は、当該判断条件が成立したならば（Ｙｅｓ）、ステップＳ１４の処理を行い、当該判断条件が成立しなかったならば（Ｎｏ）、ステップＳ１２の処理を行う。
【００９９】
ステップＳ１２に於いて、メタ情報受信部１２は、当該チャンネルの検索キーワードを当該チャンネルのダウンロード対象である動画サーバ２００に送信して検索する。
【０１００】
ステップＳ１３に於いて、メタ情報受信部１２は、当該チャンネルのダウンロード対象である動画サーバ２００から、各検索キーワードで検索された２０件のコンテンツのＵＲＬ情報を受信する。
ステップＳ１４に於いて、メタ情報受信部１２は、当該番組情報サーバ３００のチャンネル０から２０件のコンテンツのＵＲＬ情報を受信する。
【０１０１】
ステップＳ１５に於いて、メタ情報受信部１２は、受信した２０件のコンテンツのＵＲＬに基き、このＵＲＬが指し示す先である動画サーバ２００から、テキスト情報（メタ情報）を受信する。しかし、これに限られず、動画サーバ２００や番組情報サーバ３００は、当該検索情報で検索されたコンテンツのメタ情報を送信するように構成してもよい。
【０１０２】
ステップＳ１６に於いて、メタ情報受信部１２は、番組表７０ａの全チャンネルについて繰返したか否かを判断する。メタ情報受信部１２は、当該判断条件が成立しなかったならば、ステップＳ１０の処理に戻る。
ステップＳ２０〜Ｓ４０の処理の主体は、受信機１０のチャンネルリスト表示部１５である。
【０１０３】
ステップＳ２０に於いて、チャンネルリスト表示部１５は、所定列数のチャンネルリスト７１ａを表示する。ここでは、チャンネルリスト表示部１５は、４列のチャンネルリスト７１ａを画面に表示する。
ステップＳ２１に於いて、チャンネルリスト表示部１５は、表示中の全てのインデックス７３上にそれぞれテキスト情報を表示する。
【０１０４】
チャンネルリスト表示部１５は、ステップＳ３０〜Ｓ３３の処理と、ステップＳ４０の処理とを並行に処理する。チャンネルリスト表示部１５は、ステップＳ３０〜Ｓ３３の処理を、表示中の全てのインデックス７３について繰返す。
ステップＳ３１に於いて、チャンネルリスト表示部１５は、当該インデックス７３に係るサムネイル情報（メタ情報）を受信する。
ステップＳ３２に於いて、チャンネルリスト表示部１５は、当該インデックス７３上に、受信したサムネイル情報を表示する。
【０１０５】
ステップＳ３３に於いて、チャンネルリスト表示部１５は、表示中の全てのインデックス７３について処理を繰り返したか否かを判断する。チャンネルリスト表示部１５は、当該判断条件が成立しなかったならば、ステップＳ３０の処理に戻る。
ステップＳ４０に於いて、チャンネルリスト表示部１５は、フォーカスしているインデックス７３のタイトル文字を横にスクロールする。
ステップＳ４０の処理とステップＳ３０〜Ｓ３３の処理とが終了したならば、チャンネルリスト表示部１５は、図１５の表示処理を終了する。
この表示処理により、図１４に示す番組表７０ａの表示操作を実現することができる。
【０１０６】
図１６は、本実施形態に於ける番組表（１０列）の表示動作を示す図である。
図１６（ａ）は、１０列の番組表７０ａにサムネイル画像が読み込まれ始めたときの表示を示している。左端の３個のインデックス７３のみにサムネイル７３ａが表示されている。以下、矢印が示す順番で、各インデックス７３にサムネイル７３ａが表示される。
【０１０７】
更に、フォーカス７７が、左上端のインデックス７３に付与されている。左上端のインデックス７３は、テキスト表示７３ｂを有している。左上端のインデックス７３以外の他のインデックス７３は、テキスト表示７３ｂを有していない。これにより、フォーカス７７が付与されているインデックス７３を強調表示することができる。
【０１０８】
図１６（ｂ）は、１０列の番組表７０ａのインデックス７３の拡大表示である。このように、フォーカス７７が付与されているインデックス７３のみが、テキスト表示７３ｂを有している。更にテキスト表示７３ｂは、常に横方向にスクロールしているので、このインデックス７３を強調表示することができる。
【０１０９】
更に、この番組表７０ａのチャンネルリスト７１ａの末尾には、読込指示インデックス７４が表示されている。これにより、ユーザは、上下左右キー３２と決定キー３２ａによって、読込指示インデックス７４を選択することにより、受信機１０に次の２０件のコンテンツを読込ませて、インデックス７３に表示させることができる。
【０１１０】
図１７（ａ）〜（ｄ）は、本実施形態に於けるチャンネルメニューの選択動作を示す図である。
図１７（ａ）は、イベントループＬ２７で下キー３２Ｄを押下したときに表示される初期画面である。
画面下部には、チャンネルメニュー７０ｂが表示されている。チャンネルメニュー７０ｂは、チャンネルリスト７１ｂ−１，７１ｂ−２，…を含んでいる。以下、各チャンネルリスト７１ｂ−１，７１ｂ−２，…を特に区別しないときには、単にチャンネルリスト７１ｂと記載する。このチャンネルメニュー７０ｂの下層には、再生中の動画が常に表示されている。各チャンネルリスト７１ｂは、すべて１行で表示されている。これにより、ユーザが、このチャンネルメニュー７０ｂの下層に再生されている動画の視聴を妨げられることが少なくなる。各チャンネルリスト７１ｂは、それぞれインデックス７３を含んでいる。チャンネルリスト７１ｂ−１のインデックス７３には、フォーカス７７が付与されている。
【０１１１】
図１７（ｂ）は、図１７（ａ）の画面にて下キー３２Ｄを押下した際に遷移する画面である。
チャンネルリスト７１ｂ−１に於いて、インデックス７３が２行に亘って表示される。図１７（ａ）で表示されていたインデックス７３は上の行に移動し、新たなインデックス７３が下の行に表示される。このとき、下の行に表示されているインデックス７３に、フォーカス７７が付与される。
【０１１２】
図１７（ｃ）は、図１７（ｂ）の画面にて下キー３２Ｄを押下した際に遷移する画面である。
チャンネルリスト７１ｂ−１に於いて、インデックス７３が３行に亘って表示される。図１７（ａ）で表示されていたインデックス７３は最初の行に移動し、図１７（ｂ）で新たに表示されたインデックス７３は２番目の行に移動し、新たなインデックス７３が３番目の行に表示される。このとき、フォーカス７７は３番目の行に表示されているインデックス７３に付与される。このように、チャンネルリスト７１ｂ−１のみがスクロールするので、チャンネルリスト７１ｂ−１の下層に再生されている動画の視聴を妨げることが少なくなると共に、画面更新の時間を少なくすることができる。
【０１１３】
図１７（ｄ）は、図１７（ａ）〜（ｃ）の画面にて右キー３２Ｒを押下した際に遷移する画面である。
フォーカス７７は、チャンネルリスト７１ｂ−２のインデックス７３に付与される。チャンネルリスト７１ｂ−１は、インデックス７３が１行の表示となる。これにより、チャンネルリスト７１ｂ−１の下層に再生されている動画の視聴を妨げることが少なくなる。
【０１１４】
図１８（ａ）〜（ｄ）は、本実施形態に於ける関連動画リストの表示動作を示す図である。
図１８（ａ）は、コンテンツＡの再生画面にて関連動画キー３３ｂを押下した際に遷移する関連動画リスト７０ｄの画面である。
画面右部には、コンテンツＡに関連する動画リストである関連動画リスト列７１ｄ−１が表示されている。以下、各関連動画リスト列７１ｄ−１，…を特に区別しないときには、単に関連動画リスト列７１ｄと記載する。関連動画リスト列７１ｄ−１，…は、１列または複数列が画面に表示されて、関連動画リスト７０ｄを構成する。関連動画リスト７０ｄの下層には、再生中の動画が常に表示されている。初期状態に於いて、関連動画リスト７０ｄは、すべて一列で表示されている。これにより、この関連動画リスト７０ｄの下層に再生されている動画の視聴を妨げることが少なくなる。関連動画リスト列７１ｄは、チャンネルリスト７１ａなどに対応する概念である。
【０１１５】
関連動画リスト列７１ｄ−１は、最上部にタイトル７２が表示され、その下部に複数のインデックス７３が表示されている。タイトル７２には、当該関連動画リスト列７１ｄ−１の属性を示す「Ａ関連」が表示されている。インデックス７３には、コンテンツＡに関連しているコンテンツのメタ情報（テキスト情報やサムネイル）が表示されている。例えば、１行目のインデックス７３は、コンテンツＢ０のメタ情報を表示している。初期状態に於いて、フォーカス７７は、関連動画リスト列７１ｄ−１の１行目のインデックス７３に付与されている。
【０１１６】
図１８（ｂ）は、図１８（ａ）の画面にて下キー３２Ｄを押下した際に遷移する画面である。
フォーカス７７は、関連動画リスト列７１ｄ−１の２行目のインデックス７３に付与される。それ以外の構成は、図１８（ａ）の画面と同様である。
【０１１７】
図１８（ｃ）は、図１８（ａ）の画面にて関連動画キー３３ｂを押下した際に遷移する画面である。
画面には、関連動画リスト７０ｄを構成する関連動画リスト列７１ｄ−１，７１ｄ−２が表示されている。関連動画リスト７０ｄの下層には、再生中のコンテンツＡ（動画）が常に表示されている。
【０１１８】
関連動画リスト列７１ｄ−２は、最上部にタイトル７２が表示され、その下部に複数のインデックス７３が表示されている。タイトル７２には、当該関連動画リスト列７１ｄ−２の属性を示す「Ｂ０関連」が表示されている。関連動画リスト列７１ｄ−２の各インデックス７３には、コンテンツＢ０に関連しているコンテンツＣ０〜Ｃ５のメタ情報（テキスト情報やサムネイル）が表示されている。フォーカス７７は、関連動画リスト列７１ｄ−２の１行目のインデックス７３に付与されている。
【０１１９】
図１８（ｄ）は、図１８（ｂ）の画面にて関連動画キー３３ｂを押下した際に遷移する画面である。
画面には、関連動画リスト７０ｄの関連動画リスト列７１ｄ−１，７１ｄ−３が表示されている。関連動画リスト７０ｄの下層には、再生中のコンテンツＡ（動画）が常に表示されている。
【０１２０】
関連動画リスト列７１ｄ−３は、最上部にタイトル７２が表示され、その下部に複数のインデックス７３が表示されている。タイトル７２には、当該関連動画リスト列７１ｄ−３の属性を示す「Ｂ１関連」が表示されている。関連動画リスト列７１ｄ−３の各インデックス７３には、コンテンツＢ１に関連しているコンテンツＣ６〜Ｃ１１のメタ情報（テキスト情報やサムネイル）が表示されている。フォーカス７７は、関連動画リスト列７１ｄ−３の１行目のインデックス７３に付与されている。
【０１２１】
このように、上下左右キー３２と決定キー３２ａと関連動画キー３３ｂを押下するだけで、ユーザの所望の動画（コンテンツ）に関連する動画リスト（コンテンツ）を順次表示し、これらの動画リスト（コンテンツ）のうちいずれかを決定して再生対象とすることができる。これにより、検索キーワードを入力するよりも容易に、新たなコンテンツを検索することができる。
【０１２２】
図１９は、本実施形態に於ける関連動画リストの表示処理を示すフローチャートである。
処理を開始すると、ステップＳ５０に於いて、受信機１０のメタ情報受信部１２は、画面にインデックス７３を表示中であるか否かを判断する。メタ情報受信部１２は、当該判断条件が成立したならば（Ｙｅｓ）、ステップＳ５１の処理を行い、当該判断条件が成立しなかったならば（Ｎｏ）、ステップＳ５２の処理を行う。
【０１２３】
ステップＳ５１に於いて、メタ情報受信部１２は、フォーカスしているコンテンツ（インデックス７３）の２０件の関連動画のＵＲＬ情報を動画サーバ２００から取得し、ステップＳ５３の処理を行う。
ステップＳ５２に於いて、メタ情報受信部１２は、再生中のコンテンツの２０件の関連動画のＵＲＬ情報を動画サーバ２００から取得する。
【０１２４】
ステップＳ５３に於いて、メタ情報受信部１２は、２０件のコンテンツのＵＲＬに基き、通信部２０によって動画サーバ２００から、当該２０件のコンテンツのメタ情報に含まれるテキスト情報を受信する。
ステップＳ６０に於いて、受信機１０のチャンネルリスト表示部１５は、画面にインデックス７３を表示中であるか否かを判断する。チャンネルリスト表示部１５は、当該判断条件が成立したならば（Ｙｅｓ）、ステップＳ６１の処理を行い、当該判断条件が成立しなかったならば（Ｎｏ）、ステップＳ６２の処理を行う。
ステップＳ６１に於いて、チャンネルリスト表示部１５は、表示中のインデックス７３を、全て左側に１列移動する。
ステップＳ６２に於いて、チャンネルリスト表示部１５は、当該関連動画リスト７０ｄに係る関連動画リスト列７１ｄを、画面の右端に表示する。
ステップＳ６３に於いて、チャンネルリスト表示部１５は、当該関連動画リスト列７１ｄの、全てのインデックス７３上にそれぞれテキスト情報を表示する。
チャンネルリスト表示部１５は、ステップＳ７０〜Ｓ７３の処理と、ステップＳ８０の処理とを並行処理する。
ステップＳ７０〜Ｓ７３に於いて、チャンネルリスト表示部１５は、当該関連動画リスト列７１ｄの全インデックス７３で処理を繰り返す。
ステップＳ７１に於いて、チャンネルリスト表示部１５は、当該インデックス７３に係るサムネイル情報（メタ情報）を受信する。
ステップＳ７２に於いて、チャンネルリスト表示部１５は、当該インデックス７３上に、受信したサムネイル情報を表示する。
【０１２５】
ステップＳ７３に於いて、チャンネルリスト表示部１５は、当該関連動画リスト列７１ｄの全インデックス７３で処理を繰り返したか否かを判断する。チャンネルリスト表示部１５は、当該判断条件が成立しなかったならば、ステップＳ７０の処理に戻る。
ステップＳ８０に於いて、チャンネルリスト表示部１５は、フォーカスしているインデックス７３のタイトル文字を横にスクロールする。
ステップＳ８０の処理とステップＳ７０〜Ｓ７３の処理とが終了したならば、チャンネルリスト表示部１５は、図１９の表示処理を終了する。
【０１２６】
（本実施形態の効果）
以上説明した本実施形態では、次の（Ａ）〜（Ｓ）のような効果がある。
【０１２７】
（Ａ）  受信機１０は、各チャンネルにキーワードなどの検索条件を予め関連づけて、コンテンツを分類してメタ情報などでソートし、縦軸がソート条件、横軸がチャンネルである番組表７０ａを画面に表示している。これにより、ユーザは、検索条件の入力無しに、上下左右キー３２と決定キー３２ａを有するリモコン３０によって、番組表７０ａからコンテンツを選択可能である。
【０１２８】
（Ｂ）  受信機１０は、各チャンネルに含まれるコンテンツを連続して再生するモードを有している。これにより、ユーザは、意識してコンテンツを検索して、再生するコンテンツを決定しなくとも、目的のコンテンツ群を連続して視聴することができる。
【０１２９】
（Ｃ）  受信機１０は、各チャンネル内のコンテンツを連続して繰り返し再生するか、選択したコンテンツのみ再生するか選択可能である。
【０１３０】
（Ｄ）  受信機１０は、番組表７０ａに表示するチャンネルを２列表示／４列表示／１０列表示とすることができる。これにより、ユーザは、２列表示や４列表示としてコンテンツの詳細情報を見ながら番組選択を行ったり、１０列表示としてコンテンツのサムネイル画像だけを参照して番組選択を行ったりすることができる。
【０１３１】
（Ｅ）  受信機１０は、現在選択されているコンテンツと関連性の高いコンテンツの一覧表である関連動画リストを表示することができる。これにより、ユーザは、目的のコンテンツを探すことが容易となる。
【０１３２】
（Ｆ）  受信機１０は、現在選択されているコンテンツの投稿者が投稿した他のコンテンツの一覧表である投稿者動画リストを表示することができる。これにより、ユーザは、目的のコンテンツを探すことが容易となる。
【０１３３】
（Ｇ）  受信機１０は、チャンネルに予め関連づけられた動画サーバ２００から、このチャンネルに対応したストリーミングコンテンツのメタ情報を、通信部２０によって受信し、このメタ情報を番組表７０ａとして表示している。これにより、ストリーミングコンテンツを視聴するたびに、動画サーバ２００のＵＲＬを入力しなくとも、リモコン３０でチャンネルを選択するのみで、各動画サーバ２００のストリーミングコンテンツの番組表７０ａを見ることができる。
【０１３４】
（Ｈ）  受信機１０のメタ情報受信部１２は、チャンネルに予め関連づけられた番組情報サーバ３００から、このチャンネルに対応したストリーミングコンテンツのＵＲＬを受信している。これにより、動画サーバ２００を運営する動画サイト運営者でなくとも、この動画サーバ２００上のストリーミングコンテンツの番組情報を提供することができる。
【０１３５】
（Ｉ）  受信機１０は、デフォルトで表示されるチャンネルが番組情報サーバ３００に予め関連付けられている。受信機１０の出荷状態に於いて、デフォルトで表示されるチャンネルとストリーミングコンテンツとを、メーカの所望のもの（例えば、安定に再生可能なストリーミングコンテンツ）とすることが可能である。これにより、ユーザの最初の使用時のトラブルを減らすことができると共に、メーカのサポートの工数を減らすことができる。
【０１３６】
（Ｊ）  受信機１０のチャンネルリスト表示部１５は、ストリーミングコンテンツのチャンネルリスト７１の末尾に読込指示インデックス７４を表示している。これにより、上下左右キー３２と決定キー３２ａの押下によって、次の２０件の読み込みを指示することができる。
【０１３７】
（Ｋ）  受信機１０のチャンネルリスト表示部１５は、全てのチャンネルリスト７１に含まれるストリーミングコンテンツのテキスト情報を受信して、チャンネルリスト７１のインデックス７３上に表示したのち、各インデックス７３について順番に、ストリーミングコンテンツのサムネイル情報をサムネイル情報受信部１４によって受信して、インデックス７３上に表示する。これにより、サムネイル情報の受信や表示を待たずに、迅速にテキスト情報によるインデックス７３を表示できるので、ユーザを待たせることがなくなる。
【０１３８】
（Ｌ）  受信機１０のコンテンツ決定部１６は、チャンネルリスト７１内で、インデックス７３を、当該インデックス７３に係るストリーミングコンテンツのメタ情報に基いて並び替えている。これにより、ユーザの意図した順番にチャンネルリスト７１を並び替えて、その順番でループ再生させることができる。
【０１３９】
（Ｍ）  受信機１０のコンテンツ決定部１６は、チャンネルリスト７１内で、インデックス７３を、任意の順番に並び替える手段を提供している。これにより、ユーザの意図した順番にチャンネルリスト７１を並び替えて、その順番でループ再生させることができる。
【０１４０】
（Ｎ）  受信機１０のチャンネルリスト表示部１５は、チャンネルメニュー７０ｂの初期状態は画面下部に、お気に入りメニュー８０／保存コンテンツメニュー８１の初期状態は画面上部に、投稿者動画リスト７０ｃと関連動画リスト７０ｄとの初期状態は画面右部に、それぞれ表示している。これにより、これらの下層に再生している動画の視聴を妨げることが少なくなる。
【０１４１】
（Ｏ）  受信機１０のチャンネルリスト表示部１５は、フォーカスしているインデックス７３のタイトル情報を、常にスクロールさせて表示している。そして、フォーカスしていない他のインデックス７３のタイトル情報は、スクロールさせずに静止させて表示している。これにより、フォーカスしているインデックス７３を目立たせることができる。
（Ｐ）  受信機１０のチャンネルリスト表示部１５は、枠の太さを変えることによって、フォーカスしているインデックス７３を目立たせることができる。
【０１４２】
（Ｑ）  受信機１０のチャンネルリスト表示部１５は、１０列表示の番組表７０ａに於いて、フォーカスしているインデックス７３のタイトル情報を表示している。そして、フォーカスしていない他のインデックス７３のタイトル情報は表示していない。これにより、フォーカスしているインデックス７３を目立たせることができる。
【０１４３】
（Ｒ）  受信機１０のチャンネルリスト表示部１５は、番組表７０ａに於いて、チャンネルリスト７１全体における、表示中の全てのインデックス７３の相対的な位置を指し示すチャンネルリストガイド７６を表示している。これにより、表示中の全てのインデックス７３の相対的な位置を知り、スクロールの目安とすることができる。
【０１４４】
（Ｓ）  受信機１０のチャンネルリスト表示部１５は、所定時間に亘ってリモコン３０による操作を検知しなかったならば、全てのインデックス７３の表示を一時的に消去している。更に、受信機１０のチャンネルリスト表示部１５は、インデックス７３の表示を一時的に消去している状態で、リモコン３０による操作を検知したならば、インデックス７３を再び表示する。これにより、リモコン３０の操作が不慣れなユーザでも、支障なくストリーミングコンテンツを視聴することができる。
【０１４５】
（変形例）
本発明は、上記実施形態に限定されることなく、本発明の趣旨を逸脱しない範囲で、変更実施が可能である。この利用形態や変形例としては、例えば、次の（ａ）〜（ｆ）のようなものがある。
【０１４６】
（ａ）  受信機１０は、フォーカス７７が指し示すインデックス７３を、輝度信号、色信号、透明度、文字の太さ、枠の色、枠の太さのいずれかによって強調して表示してもよい。
【０１４７】
（ｂ）  受信機１０は、フォーカス７７が指し示すインデックス７３のサムネイル７３ａを、他のインデックス７３のサムネイル７３ａと異なる位置に表示することによって、フォーカス７７が指し示す当該インデックス７３を強調表示してもよい。
【０１４８】
（ｃ）  受信機１０の操作はリモコン３０には限定されず、上下左右キー３２と決定キー３２ａとを備えている操作部であればよい。また、携帯端末などにみられる操作画面に表示された箇所を直接触ることによって選択して決定するタッチ式操作であってもよい。
【０１４９】
（ｄ）  受信機１０は、各ユーザのＩＤとパスワードとチャンネルセットとを不揮発性記憶部２３に記憶し、パスワード認証画面でＩＤとパスワードとを認証し、パスワード認証に成功（ログイン）したときに、各ユーザが設定しているチャンネルセット（各チャンネルの検索情報の集合）を表示し、更に当該ユーザのＩＤを表示するように構成してもよい。これにより、受信機１０は、各ユーザの嗜好（家族の使用者ごとの嗜好）を反映したチャンネルセットを設定することができる。
【０１５０】
（ｅ）  受信機１０は、各コンテンツを連続して再生したときに、どのコンテンツがいつ再生されるかを知るために、指定された時間間隔ごとに表示される時刻を示すライン形式のバー表示を行ってもよい。
【０１５１】
（ｆ）  受信機１０は、動画の再生に限定されず、ストリーミング方式のコンテンツの再生であればよい。ストリーミング方式のコンテンツとは、例えば、静止画の連続再生、音声（音楽）の連続再生、その他の型式のコンテンツのことをいう。
【符号の説明】
【０１５２】
１０  受信機
１１  処理部
１２  メタ情報受信部
１３  テキスト情報受信部
１４  サムネイル情報受信部
１５  チャンネルリスト表示部
１６  コンテンツ決定部
１７  コンテンツ受信部
１８  コンテンツ再生部
２０  通信部
２１  リモコン受信部
２２  記憶部
２４  画像表示部
３０  リモコン（操作部）
３２ａ  決定キー（決定操作子）
３２  上下左右キー（方向操作子）
４０  ストレージ
５０  テレビ
７０ａ  番組表
７０ｂ  チャンネルメニュー
７０ｃ  投稿者動画リスト
７０ｄ  関連動画リスト
７１，７１ａ，７１ｂ  チャンネルリスト
７１ｄ  関連動画リスト列
７２  タイトル
７３  インデックス
７３ａ  サムネイル
７３ｂ  テキスト表示
７４  読込指示インデックス
７６  チャンネルリストガイド
７７  フォーカス
８０  お気に入りメニュー
８１  保存コンテンツメニュー
１００  ネットワーク
２００  動画サーバ
３００  番組情報サーバ
【図１】
0005920737.tif 000002
【図２】
0005920737.tif 000003
【図３】
0005920737.tif 000004
【図４】
0005920737.tif 000005
【図５】
0005920737.tif 000006
【図６】
0005920737.tif 000007
【図７】
0005920737.tif 000008
【図８】
0005920737.tif 000009
【図９】
0005920737.tif 000010
【図１０】
0005920737.tif 000011
【図１１】
0005920737.tif 000012
【図１２】
0005920737.tif 000013
【図１３】
0005920737.tif 000014
【図１４】
0005920737.tif 000015
【図１５】
0005920737.tif 000016
【図１６】
0005920737.tif 000017
【図１７】
0005920737.tif 000018
【図１８】
0005920737.tif 000019
【図１９】
0005920737.tif 000020